(57)【要約】      （修正有）【課題】消費者が好みの商品を登録し、その商品に合う商品を効率良く探し、それらの商品の組合せの比較検討を効果的に行う情報提供システム及び情報提供方法等を提供する。【解決手段】人体に着用可能な商品画像を含む商品情報を、商品ＩＤに対応付けて登録する商品情報データベースと、複数の利用者に関する利用者情報を登録するデータベースであって、利用者が好む商品の商品ＩＤを、利用者ＩＤに対応付けて登録する利用者情報データベースと、端末装置とを備えた情報提供システムであって、前記端末装置から送信されてきた利用者ＩＤを含む要求情報を受信し、要求情報に含まれる利用者ＩＤに対応付けられた商品ＩＤを利用者情報データベースから取得し、商品ＩＤに対応付けられた商品情報を利用者登録商品情報として前記商品情報データベースから取得し、前記利用者登録商品情報と、前記利用者未登録商品情報と、を比較可能に表示するように構成する。【選択図】図１
2007280351.tif 000002
【特許請求の範囲】
【請求項１】
人体に着用可能な複数種類の商品の商品画像を含む商品情報を、夫々の前記商品情報毎に固有の商品ＩＤに対応付けて登録する商品情報データベースと、
複数の利用者に関する利用者情報を登録するデータベースであって、前記商品のうち利用者が所望する商品の商品ＩＤを、夫々の前記利用者毎に固有の利用者ＩＤに対応付けて登録する利用者情報データベースと、を備えた情報提供装置と、
前記情報提供装置に通信手段を介して接続可能な複数の端末装置と、
を備えた情報提供システムであって、
前記情報提供装置は、
前記通信手段を介して接続された、何れかの前記端末装置から送信されてきた、利用者ＩＤを含む要求情報を受信する要求情報受信手段と、
前記受信された要求情報に含まれる利用者ＩＤに対応付けられた商品ＩＤを利用者情報データベースから取得し、当該取得した商品ＩＤに対応付けられた商品情報を利用者登録商品情報として前記商品情報データベースから取得する第１商品情報取得手段と、
前記取得された利用者登録商品情報に係る商品と同一種類の商品の商品情報であって、商品ＩＤの異なる何れかの商品情報を利用者未登録商品情報として前記商品情報データベースから取得する第２商品情報取得手段と、
前記取得された利用者登録商品情報と、前記取得された利用者未登録商品情報と、を含む要求応答情報を、前記端末装置に対して送信する要求応答情報送信手段と、を備え、
前記端末装置は、
前記情報提供装置から送信されてきた要求応答情報を受信する要求応答情報受信手段と、
前記受信された要求応答情報に含まれる、前記利用者登録商品情報と、前記利用者未登録商品情報と、を比較可能に表示する表示制御手段と、
を備えることを特徴とする情報提供システム。
【請求項２】
請求項１に記載の情報提供システムにおいて、
前記端末装置の表示制御手段は、前記商品画像を利用者により選択可能に表示するものであって、
前記端末装置は、前記利用者により選択された商品画像を示す選択情報を前記情報提供装置に送信する選択情報送信手段を更に備え、
前記情報提供装置は、
人体を表す人体画像を取得する人体画像取得手段と、
前記端末装置から送信されてきた選択情報を受信する選択情報受信手段と、
前記受信された選択情報にて示される商品画像と、前記取得された人体画像とを合成し、前記商品が人体に着用された状態の着用画像を作成する着用画像作成手段と、
前記作成された着用画像を含む選択応答情報を、前記端末装置に対して送信する選択応答情報送信手段と、
を更に備えることを特徴とする情報提供システム。
【請求項３】
請求項２に記載の情報提供システムにおいて、
前記端末装置は、
前記情報提供装置から送信されてきた選択応答情報を受信する選択応答情報受信手段を更に備え、
前記端末装置の表示制御手段は、前記受信された選択応答情報に含まれる着用画像と、前記利用者登録商品情報に含まれる商品画像と、前記利用者未登録商品情報に含まれる商品画像と、を並べて表示することを特徴とする情報提供システム。
【請求項４】
請求項１乃至３の何れか一項に記載の情報提供システムにおいて
前記第２商品情報取得手段は、前記取得された利用者登録商品情報に基づいて、前記商品情報データベースに登録された商品情報の中から前記利用者に推薦すべき商品情報を前記未登録商品情報として取得することを特徴とする情報提供システム。
【請求項５】
請求項３又は４に記載の情報提供システムにおいて
前記利用者登録商品情報及び前記利用者未登録商品情報は、夫々、人体の複数部位毎に取得されるものであって、
前記端末装置の表示制御手段は、前記着用画像を基準として前記人体の複数部位毎に、前記利用者登録商品情報に含まれる商品画像と、前記利用者未登録商品情報に含まれる商品画像と、を並べて表示することを特徴とする情報提供システム。
【請求項６】
請求項１に記載の情報提供システムにおいて、
前記端末装置の表示制御手段は、前記人体の複数部位毎に、前記商品画像を利用者により選択可能に表示するものであって、
前記端末装置は、前記利用者により前記人体の複数部位毎に選択された商品画像を示す選択情報を前記情報提供装置に送信する選択情報送信手段を更に備え、
前記情報提供装置は、
人体を表す人体画像を取得する人体画像取得手段と、
前記端末装置から送信されてきた選択情報を受信する選択情報受信手段と、
前記受信された選択情報にて示される前記人体の複数部位毎の商品画像と、前記取得された人体画像とを合成し、前記商品が人体に着用された状態の着用画像を作成する着用画像作成手段と、
前記作成された着用画像を含む選択応答情報を、前記端末装置に対して送信する選択応答情報送信手段と、
を更に備え、
前記端末装置は、
前記情報提供装置から送信されてきた選択応答情報を受信する選択応答情報受信手段を更に備え、
前記端末装置の表示制御手段は、前記受信された選択応答情報に含まれる着用画像を表示することを特徴とする情報提供システム。
【請求項７】
請求項６に記載の情報提供システムにおいて、
前記端末装置は、
前記表示された着用画像に係る前記人体の複数部位毎の商品のコーディネート登録指示を前記利用者から受け付ける商品コーディネート登録指示受付手段と、
前記受け付けられたコーディネート登録指示に対応する前記人体の複数部位毎の商品の商品ＩＤ、及び当該端末装置の利用者の利用者ＩＤを含むコーディネート登録要求情報を前記情報提供装置に送信するコーディネート登録情報送信手段と、
を更に備え、
前記情報提供装置は、
前記端末装置から送信されてきたコーディネート登録要求情報を受信するコーディネート登録情報受信手段と、
前記受信されたコーディネート登録要求情報に含まれる前記人体の複数部位毎の商品の商品ＩＤを含むコーディネート商品情報を、前記受信されたコーディネート登録要求情報に含まれる利用者ＩＤに対応付けて利用者情報データベースに登録するコーディネート商品情報登録手段と、
を更に備えることを特徴とする情報提供システム。
【請求項８】
請求項２に記載の情報提供システムにおいて、
各前記商品画像には、他の前記商品画像と重ねて表示される際の上下関係を規定する上下方向の階層位置を示す階層位置情報が付加されており、
前記受信された選択情報に、前記選択された複数の商品画像が示されており、当該複数の商品画像が重なる位置関係にある場合、前記着用画像作成手段は、夫々に付加されている階層位置情報に示される階層位置に応じた上下関係を持った重なり商品画像を生成し、当該重なり商品画像と、前記人体画像とを合成し、前記着用画像を作成することを特徴とする情報提供システム。
【請求項９】
請求項８に記載の情報提供システムにおいて、
前記端末装置は、前記利用者により選択された商品画像の前記階層位置の指定を当該利用者から受け付ける階層位置受付手段を更に備え、
前記選択情報送信手段は、前記選択された商品画像の前記指定された前記階層位置を示す階層位置情報と共に、前記選択情報を前記情報提供装置に送信することを特徴とする情報提供システム。
【請求項１０】
請求項８又は９に記載の情報提供システムにおいて、
前記着用画像作成手段は、前記複数の商品画像において上位の階層位置にある商品画像に係る商品の輪郭のうち当該商品が人体に着用された際に当該人体の一部を通す輪郭部分以外の輪郭部分から、下位の階層位置にある商品画像がはみ出す場合には、当該はみ出す商品画像部分を除去して前記重なり商品画像を生成することを特徴とする情報提供システム。
【請求項１１】
請求項１乃至１０の何れか一項に記載の情報提供システムに含まれることを特徴とする情報提供装置。
【請求項１２】
コンピュータを、請求項１１に記載の情報提供装置として機能させることを特徴とする情報提供処理プログラム。
【請求項１３】
請求項１乃至１０の何れか一項に記載の情報提供システムに含まれることを特徴とする端末装置。
【請求項１４】
コンピュータを、請求項１３に記載の情報提供装置として機能させることを特徴とする端末処理プログラム。
【請求項１５】
人体に着用可能な複数種類の商品の商品画像を含む商品情報を、夫々の前記商品情報毎に固有の商品ＩＤに対応付けて登録する商品情報データベースと、
複数の利用者に関する利用者情報を登録するデータベースであって、前記商品のうち利用者が所望する商品の商品ＩＤを、夫々の前記利用者毎に固有の利用者ＩＤに対応付けて登録する利用者情報データベースと、を備えた情報提供装置と、前記情報提供装置に通信手段を介して接続可能な複数の端末装置と、を備えた情報提供システムにおける情報提供方法であって、
前記情報提供装置は、
前記通信手段を介して接続された、何れかの前記端末装置から送信されてきた、利用者ＩＤを含む要求情報を受信する工程と、
前記受信された要求情報に含まれる利用者ＩＤに対応付けられた商品ＩＤを利用者情報データベースから取得し、当該取得した商品ＩＤに対応付けられた商品情報を利用者登録商品情報として前記商品情報データベースから取得する工程と、
前記取得された利用者登録商品情報に係る商品と同一種類の商品の商品情報であって、商品ＩＤの異なる何れかの商品情報を利用者未登録商品情報として前記商品情報データベースから取得する工程と、
前記取得された利用者登録商品情報と、前記取得された利用者未登録商品情報と、を含む要求応答情報を、前記端末装置に対して送信する工程と、を備え、
前記端末装置は、
前記情報提供装置から送信されてきた要求応答情報を受信する工程と、
前記受信された要求応答情報に含まれる、前記利用者登録商品情報と、前記利用者未登録商品情報と、を比較可能に表示する工程と、
を備えることを特徴とする情報提供方法。
【発明の詳細な説明】
【技術分野】
【０００１】
本発明は、人体に着用可能な複数種類の商品の商品画像を含む商品情報を、夫々の前記商品情報毎に固有の商品ＩＤに対応付けて登録する商品情報データベースと、複数の利用者に関する利用者情報を登録するデータベースであって、前記商品のうち利用者が好む商品の商品ＩＤを、夫々の前記利用者毎に固有の利用者ＩＤに対応付けて登録する利用者情報データベースと、を備えた情報提供装置と、前記情報提供装置に通信手段を介して接続可能な複数の端末装置と、を備えた情報提供システム等の技術分野に関する。
【背景技術】
【０００２】
多くの消費者（生活者）は、テレビ放送、雑誌、インターネット等の様々な媒体から提供される情報を参考にして、購入するべき、洋服、帽子、アクセサリ等の商品を決定している。そして、近年、消費者が、例えばパーソナルコンピュータや、インターネット上等で所望の商品を簡単に検索し、購入することができるようになっている。例えば、特許文献１には、電子カタログ用閲覧プログラムに関する技術が開示されている。このように検索された商品の情報は、例えばパーソナルコンピュータにおけるハードディスク等に記録して後から見たりすることができる。
【０００３】
一方で、多くの店舗が存在する百貨店や、アウトレットモール、レストラン街などでは、消費者は、一旦多くの店舗を歩いて回り、例えば気になった店舗の場所、店舗で提供される商品等に関する情報を憶えておいて、後から、どの店舗を利用するか、或いは、どの商品を購入するか等を検討することも頻繁に行われている。
【特許文献１】特開２００３−２２８５６７号公報
【発明の開示】
【発明が解決しようとする課題】
【０００４】
しかしながら、従来の方法では、消費者は、気になった商品の情報を正確に憶えておくことは困難であり、その結果、例えば多数の店舗の中からどの店舗を利用するか、或いは、多数の商品のうちからどの商品を購入するかの比較検討も曖昧となってしまうという問題があった。
【０００５】
更に、従来の方法では、帽子や洋服等の人体に着用可能な商品であって自ら気に入った商品に合う商品を効率よく探すことは困難であり、それらの商品の組合せ（コーディネート）の比較検討を行うことも困難であった。
【０００６】
本発明は、以上の点に鑑みてなされたものであり、消費者が気になった好みの商品を登録し、その商品に合う商品を効率良く探し、それらの商品の組合せの比較検討をより効果的に行うことが可能な情報提供システム及び情報提供方法等を提供することを課題とする。
【課題を解決するための手段】
【０００７】
上記課題を解決するために、請求項１に記載の発明は、人体に着用可能な複数種類の商品の商品画像を含む商品情報を、夫々の前記商品情報毎に固有の商品ＩＤに対応付けて登録する商品情報データベースと、複数の利用者に関する利用者情報を登録するデータベースであって、前記商品のうち利用者が好む商品の商品ＩＤを、夫々の前記利用者毎に固有の利用者ＩＤに対応付けて登録する利用者情報データベースと、を備えた情報提供装置と、前記情報提供装置に通信手段を介して接続可能な複数の端末装置と、を備えた情報提供システムであって、前記情報提供装置は、前記通信手段を介して接続された、何れかの前記端末装置から送信されてきた、利用者ＩＤを含む要求情報を受信する要求情報受信手段と、前記受信された要求情報に含まれる利用者ＩＤに対応付けられた商品ＩＤを利用者情報データベースから取得し、当該取得した商品ＩＤに対応付けられた商品情報を利用者登録商品情報として前記商品情報データベースから取得する第１商品情報取得手段と、前記取得された利用者登録商品情報に係る商品と同一種類の商品の商品情報であって、商品ＩＤの異なる何れかの商品情報を利用者未登録商品情報として前記商品情報データベースから取得する第２商品情報取得手段と、前記取得された利用者登録商品情報と、前記取得された利用者未登録商品情報と、を含む要求応答情報を、前記端末装置に対して送信する要求応答情報送信手段と、を備え、前記端末装置は、前記情報提供装置から送信されてきた要求応答情報を受信する要求応答情報受信手段と、前記受信された要求応答情報に含まれる、前記利用者登録商品情報と、前記利用者未登録商品情報と、を比較可能に表示する表示制御手段と、を備えることを特徴とする。
【０００８】
請求項２に記載の発明は、請求項１に記載の情報提供システムにおいて、前記端末装置の表示制御手段は、前記商品画像を利用者により選択可能に表示するものであって、前記端末装置は、前記選択された商品画像を示す選択情報を前記情報提供装置に送信する選択情報送信手段を更に備え、前記情報提供装置は、人体を表す人体画像を取得する人体画像取得手段と、前記端末装置から送信されてきた選択情報を受信する選択情報受信手段と、前記受信された選択情報にて示される商品画像と、前記取得された人体画像とを合成し、前記商品が人体に着用された状態の着用画像を作成する着用画像作成手段と、前記作成された着用画像を含む選択応答情報を、前記端末装置に対して送信する選択応答情報送信手段と、を更に備えることを特徴とする。
【０００９】
請求項３に記載の発明は、請求項２に記載の情報提供システムにおいて、前記端末装置は、前記情報提供装置から送信されてきた選択応答情報を受信する選択応答情報受信手段を更に備え、前記端末装置の表示制御手段は、前記受信された選択応答情報に含まれる着用画像と、前記利用者登録商品情報に含まれる商品画像と、前記利用者未登録商品情報に含まれる商品画像と、を並べて表示することを特徴とする。
【００１０】
請求項４に記載の発明は、請求項１乃至３の何れか一項に記載の情報提供システムにおいて、前記第２商品情報取得手段は、前記取得された利用者登録商品情報に基づいて、前記商品情報データベースに登録された商品情報の中から前記利用者に推薦すべき商品情報を前記未登録商品情報として取得することを特徴とする。
【００１１】
請求項５に記載の発明は、請求項３又は４に記載の情報提供システムにおいて、前記利用者登録商品情報及び前記利用者未登録商品情報は、夫々、人体の複数部位毎に取得されるものであって、前記端末装置の表示制御手段は、前記着用画像を基準として前記人体の複数部位毎に、前記利用者登録商品情報に含まれる商品画像と、前記利用者未登録商品情報に含まれる商品画像と、を並べて表示することを特徴とする。
【００１２】
請求項６に記載の発明は、請求項１に記載の情報提供システムにおいて、前記端末装置の表示制御手段は、前記人体の複数部位毎に、前記商品画像を利用者により選択可能に表示するものであって、前記端末装置は、前記利用者により前記人体の複数部位毎に選択された商品画像を示す選択情報を前記情報提供装置に送信する選択情報送信手段を更に備え、前記情報提供装置は、人体を表す人体画像を取得する人体画像取得手段と、前記端末装置から送信されてきた選択情報を受信する選択情報受信手段と、前記受信された選択情報にて示される前記人体の複数部位毎の商品画像と、前記取得された人体画像とを合成し、前記商品が人体に着用された状態の着用画像を作成する着用画像作成手段と、前記作成された着用画像を含む選択応答情報を、前記端末装置に対して送信する選択応答情報送信手段と、を更に備え、前記端末装置は、前記情報提供装置から送信されてきた選択応答情報を受信する選択応答情報受信手段を更に備え、前記端末装置の表示制御手段は、前記受信された選択応答情報に含まれる着用画像を表示することを特徴とする。
【００１３】
請求項７に記載の発明は、請求項６に記載の情報提供システムにおいて、前記端末装置は、前記表示された着用画像に係る前記人体の複数部位毎の商品のコーディネート登録指示を前記利用者から受け付ける商品コーディネート登録指示受付手段と、前記受け付けられたコーディネート登録指示に対応する前記人体の複数部位毎の商品の商品ＩＤ、及び当該端末装置の利用者の利用者ＩＤを含むコーディネート登録要求情報を前記情報提供装置に送信するコーディネート登録情報送信手段と、を更に備え、前記情報提供装置は、前記端末装置から送信されてきたコーディネート登録要求情報を受信するコーディネート登録情報受信手段と、前記受信されたコーディネート登録要求情報に含まれる前記人体の複数部位毎の商品の商品ＩＤを含むコーディネート商品情報を、前記受信されたコーディネート登録要求情報に含まれる利用者ＩＤに対応付けて利用者情報データベースに登録するコーディネート商品情報登録手段と、を更に備えることを特徴とする。
【００１４】
請求項８に記載の発明は、請求項２に記載の情報提供システムにおいて、各前記商品画像には、他の前記商品画像と重ねて表示される際の上下関係を規定する上下方向の階層位置を示す階層位置情報が付加されており、前記受信された選択情報に、前記選択された複数の商品画像が示されており、当該複数の商品画像が重なる位置関係にある場合、前記着用画像作成手段は、夫々に付加されている階層位置情報に示される階層位置に応じた上下関係を持った重なり商品画像を生成し、当該重なり商品画像と、前記人体画像とを合成し、前記着用画像を作成することを特徴とする。
【００１５】
請求項９に記載の発明は、請求項８に記載の情報提供システムにおいて、前記端末装置は、前記利用者により選択された商品画像の前記階層位置の指定を当該利用者から受け付ける階層位置受付手段を更に備え、前記選択情報送信手段は、前記選択された商品画像の前記指定された前記階層位置を示す階層位置情報と共に、前記選択情報を前記情報提供装置に送信することを特徴とする。
【００１６】
請求項１０に記載の発明は、請求項８又は９に記載の情報提供システムにおいて、前記着用画像作成手段は、前記複数の商品画像において上位の階層位置にある商品画像に係る商品の輪郭のうち当該商品が人体に着用された際に当該人体の一部を通す輪郭部分以外の輪郭部分から、下位の階層位置にある商品画像がはみ出す場合には、当該はみ出す商品画像部分を除去して前記重なり商品画像を生成することを特徴とする。
【００１７】
請求項１１に記載の情報提供装置は、請求項１乃至１０の何れか一項に記載の情報提供システムに含まれることを特徴とする。
【００１８】
請求項１２に記載の情報提供処理プログラムは、コンピュータを、請求項１１に記載の情報提供装置として機能させることを特徴とする。
【００１９】
請求項１３に記載の端末装置は、請求項１乃至１０の何れか一項に記載の情報提供システムに含まれることを特徴とする。
【００２０】
請求項１４に記載の端末処理プログラムは、コンピュータを、請求項１３に記載の情報提供装置として機能させることを特徴とする。
【００２１】
請求項１５に記載の発明は、人体に着用可能な複数種類の商品の商品画像を含む商品情報を、夫々の前記商品情報毎に固有の商品ＩＤに対応付けて登録する商品情報データベースと、複数の利用者に関する利用者情報を登録するデータベースであって、前記商品のうち利用者が好む商品の商品ＩＤを、夫々の前記利用者毎に固有の利用者ＩＤに対応付けて登録する利用者情報データベースと、を備えた情報提供装置と、前記情報提供装置に通信手段を介して接続可能な複数の端末装置と、を備えた情報提供システムにおける情報提供方法であって、前記情報提供装置は、前記通信手段を介して接続された、何れかの前記端末装置から送信されてきた、利用者ＩＤを含む要求情報を受信する工程と、前記受信された要求情報に含まれる利用者ＩＤに対応付けられた商品ＩＤを利用者情報データベースから取得し、当該取得した商品ＩＤに対応付けられた商品情報を利用者登録商品情報として前記商品情報データベースから取得する工程と、前記取得された利用者登録商品情報に係る商品と同一種類の商品の商品情報であって、商品ＩＤの異なる何れかの商品情報を利用者未登録商品情報として前記商品情報データベースから取得する工程と、前記取得された利用者登録商品情報と、前記取得された利用者未登録商品情報と、を含む要求応答情報を、前記端末装置に対して送信する工程と、を備え、前記端末装置は、前記情報提供装置から送信されてきた要求応答情報を受信する工程と、前記受信された要求応答情報に含まれる、前記利用者登録商品情報と、前記利用者未登録商品情報と、を比較可能に表示する工程と、を備えることを特徴とする。
【発明の効果】
【００２２】
本発明によれば、消費者が気になった好みの商品を登録し、その商品に合う商品を効率良く探し、それらの商品の組合せ（コーディネート）の比較検討をより効果的に行うことができる。
【発明を実施するための最良の形態】
【００２３】
以下、本発明を実施するための最良の実施形態について、図面に基づいて説明する。
【００２４】
先ず、図１を参照して、本発明の一実施形態に係る情報提供システムの概要構成例について説明する。
【００２５】
図１は、本実施形態に係る情報提供システムの全体構成例を示す図である。
【００２６】
図１に示すように、情報提供システムＳは、情報管理サーバ１と、商品画像合成サーバ２と、利用者により使用される端末３（本発明の端末装置の一例）及び当該利用者の利用者ＩＤを有するＩＣチップを搭載した携帯端末４と、を備えて構成されている。なお、情報管理サーバ１と商品画像合成サーバ２の何れか一方又は双方は、本発明の情報提供装置を構成する。
【００２７】
端末３及び携帯端末４は、夫々、通信手段としてのネットワークＮＴを介して情報管理サーバ１及び商品画像合成サーバ２に接続し、データ通信が可能になっている。なお、ネットワークＮＴは、移動体通信網（無線基地局、交換局等を含む）及びインターネット等により構築されている。また、図１の例では、１つの端末３と、１つの携帯端末４とを示しているが、実際には、これより多くの端末３及び携帯端末４が存在することになる。
【００２８】
情報管理サーバ１（Ｗｅｂサーバ）は、ＣＰＵ、ＲＡＭ、ＲＯＭ等を備える制御部１１、各種情報を記憶する記憶部１２（例えば、ハードディスク等）、ネットワークＮＴ等を介して端末３及び携帯端末４と通信を行うための通信部１３（例えば、通信機器、通信ポート等）を備えている。
【００２９】
記憶部１２には、人体に着用可能な複数種類の商品の商品画像を含む商品情報を、夫々の商品情報毎に固有の商品ＩＤに対応付けて登録する商品情報データベース（ＤＢ）１２ａと、複数の利用者に関する利用者情報を登録するデータベースであって、上記商品のうち利用者が好む商品の商品ＩＤを、夫々の利用者毎に固有の利用者ＩＤに対応付けて登録する利用者情報データベース（ＤＢ）１２ｂと、が構築されている。なお、記憶部１２には、端末３からの要求に応じて提供するページデータ（例えば、表示画面を構成するＨＴＭＬやＸＭＬデータ）も記憶されている。
【００３０】
ここで、人体に着用可能な商品は、例えば、帽子、上着（例えば、洋服）、下着、靴、等の種類に区分される。また、上着には、ブラウス、セーター、コート、ジャンパー等の上半身（下半身にかかっても良い）に身に付けられる物が含まれ、下着には、ズボン、スカート、パンツ等の下半身に身に付けられる物が含まれる。なお、本実施形態では、例示していないが、メガネ、ネクタイ、スカーフ、バック、アクセサリについても人体に着用可能な商品である。
【００３１】
また、商品情報には、例えば、商品名、メーカ名（ブランド名）、商品スペック（サイズ、色、素材等）、商品提供者（例えば、店舗側、メーカ側）コメント（例えば、宣伝、広告、紹介等の情報）、商品画像（格納場所（パス），ファイル名）、価格、当該商品を取り扱う（例えば、販売する）店舗の店舗情報（店舗の住所と電話番号、店舗周辺の地図画像等）等の情報が含まれる。
【００３２】
なお、同じ種類の商品（例えば、上着）であっても、商品情報の一部（例えば、デザインや色）又は全部が異なれば、商品ＩＤも異なることになる。
【００３３】
このような商品情報は、情報提供元の指示により商品情報データベース１２ａに登録されることになる。
【００３４】
一方、利用者情報データベース１２ｂに登録される商品ＩＤは、例えば、利用者の携帯端末４により取得され、ネットワークＮＴを介して情報管理サーバ１に送信されて登録されることになる。なお、本実施形態において、商品ＩＤを利用者情報データベース１２ｂに登録することを、商品のクリップという。
【００３５】
例えば、利用者が、店舗内に陳列されている所望（好み）の商品（例えば、洋服）に取り付けられたＩＣタグに自己の携帯端末４を近づけると、ＩＣタグ内に記憶されている商品ＩＤが読み取られ、当該商品ＩＤと共に、当該携帯端末４に予め記憶されている利用者ＩＤが情報管理サーバ１に送信されて利用者情報データベース１２ｂに登録される。また、利用者が、所望の商品の値札、商品情報を掲載するＤＭ（ダイレクトメール）、商品折り込みチラシ、ブラウザにより表示される商品情報提供サイトのＷｅｂページ、又は店頭に設置された表示端末画面やポスター等に表示されたＱＲコード（登録商標）（商品ＩＤが埋め込まれている）を、携帯端末４に備えられたカメラにより撮影すると、撮影されたＱＲコードから商品ＩＤが読み取られ、当該商品ＩＤと共に、当該携帯端末４に予め記憶されている利用者ＩＤが情報管理サーバ１に送信されて利用者情報データベース１２ｂに登録される。
【００３６】
以上、商品ＩＤの取得方法について説明したが、商品ＩＤの取得は、利用者の携帯端末４に限られるものではなく、利用者ＩＤに対応付けて送信可能なものであれば、どのようなものにより取得されても良い。
【００３７】
そして、制御部１１は、例えば、ＣＰＵが、ＲＯＭや記憶部１２に記憶されたプログラム（情報提供処理プログラムを含む）を実行することにより、要求情報受信手段、第１商品情報取得手段、第２商品情報取得手段、要求応答情報送信手段、コーディネート登録情報受信手段、及びコーディネート商品情報登録手段等として機能し、後述する処理を行うようになっている。
【００３８】
次に、商品画像合成サーバ２（Ｗｅｂサーバ等）は、ＣＰＵ、ＲＡＭ、ＲＯＭ等を備える制御部２１、各種情報を記憶する記憶部２２（例えば、ハードディスク等）、ネットワークＮＴ等を介して端末３及び携帯端末４と通信を行うための通信部２３（例えば、通信機器、通信ポート等）を備えている。
【００３９】
記憶部１２には、人体を表す人体画像（例えば、３次元画像）及び画像合成のために必要なデータが記憶されている。
【００４０】
そして、制御部２１は、例えば、ＣＰＵが、ＲＯＭや記憶部２２に記憶されたプログラム（情報提供処理プログラムを含む）を実行することにより、人体画像取得手段、選択情報受信手段、着用画像作成手段、及び選択応答情報送信手段等として機能し、後述する処理を行うようになっている。
【００４１】
次に、端末３は、例えば上記利用者により使用されるパーソナルコンピュータであり、ＣＰＵ、ＲＡＭ、ＲＯＭを備える制御部３１、各種情報を記憶する記憶部３２（例えば、ハードディスク等）、各種情報を表示する表示部３３（例えば、液晶パネル等）、利用者により操作される操作部３４（例えば、キーボード、マウス等）、及びネットワークＮＴ等を介して情報管理サーバ１と商品画像合成サーバ２と通信を行うための通信部３５（例えば、通信機器、通信ポート等）を備えている。
【００４２】
また、端末３には、ＩＣカードやＩＣチップと無線通信を行うリーダ／ライタ３ａ（例えば、「フェリカ（FeliCa）」（登録商標）と呼ばれる非接触ＩＣカード技術による）が接続されており、利用者が自己の携帯端末４を近づけると、端末３は、当該リーダ／ライタ３ａを介して、当該携帯端末４との間で無線通信を行い、携帯端末４に搭載されたＩＣチップから利用者ＩＤを取得するようになっている。なお、端末３と携帯端末４の間の無線通信は、例えば、公知のBluetoothに基づく近距離無線通信、或いは赤外線通信であっ
ても構わない。
【００４３】
そして、制御部３１は、例えば、ＣＰＵが、ＲＯＭや記憶部３２に記憶されたプログラム（端末処理プログラム（Ｗｅｂブラウザを含む）を実行することにより、要求情報送信手段、要求応答情報受信手段、表示制御手段、選択情報送信手段及び選択応答情報受信手段、商品コーディネート登録指示受付手段、コーディネート登録情報送信手段、及び階層位置受付手段等として機能し、後述する処理を行うようになっている。
【００４４】
なお、本実施形態に係る携帯端末４としては、利用者ＩＤを有する（記憶する）ＩＣチップを搭載した、携帯電話機、携帯型のパーソナルコンピュータ（ＰＣ）、ＰＤＡ（Personal Digital Assistant）等を適用可能である。携帯端末４自体の機能は公知であるため、詳しい説明を省略する。
【００４５】
次に、図２等を参照して、本実施形態に係る情報提供システムＳの動作について説明する。
【００４６】
図２は、端末３上に着合わせ画面が表示される際の、情報管理サーバ１、商品画像合成サーバ２、及び端末３における処理を示すフローチャートである。
【００４７】
先ず、利用者が、例えば自宅に設置された端末３に携帯端末４を近づけると、当該携帯端末４におけるＩＣチップに記憶されている利用者ＩＤがリーダ／ライタ３ａに読み取られ、端末３は、当該読み取られた利用者ＩＤを取得（一時、ＲＡＭに記憶）し（ステップＳ１）、予め設定されていた情報管理サーバ１の例えばＵＲＬに基づき、当該情報管理サーバ１との通信を確立し、上記取得した利用者ＩＤを含む要求情報を、ネットワークＮＴを介して送信する（ステップＳ２）。
【００４８】
一方、情報管理サーバ１は、端末３から送信されてきた要求情報を受信すると（ステップＳ３）、受信された要求情報に含まれる利用者ＩＤに対応付けられた商品ＩＤを利用者情報データベース１２ｂから取得し、当該取得した商品ＩＤに対応付けられた商品名、価格、及び商品画像（画像データ）を利用者登録（クリップ）商品情報として商品情報データベース１２ａから取得する（ステップＳ４）。
【００４９】
ここで、利用者登録商品情報は、例えば、商品の上記種類毎に、予め設定された数（例えば商品種類毎に最も新しく登録されたものから一つ）ずつ取得される。
【００５０】
次いで、情報管理サーバ１は、上記取得された利用者登録商品情報に係る商品と同一種類の商品の商品情報であって、且つ商品ＩＤの異なる商品情報を利用者未登録商品情報として商品情報データベース１２ａから取得する（ステップＳ５）。
【００５１】
ここで、利用者未登録商品情報は、例えば、上記取得された利用者登録商品情報に基づいて、商品情報データベース１２ａに登録された商品情報の中から利用者に推薦すべき商品の商品情報が、商品の上記種類毎に予め設定された数（例えば１０）ずつ取得される。例えば、利用者登録商品情報における商品と傾向（例えば、デザインや色の傾向）や特徴（例えば、商品提供者コメントに含まれる記述）同一又は類似の商品が推薦（商品の種類毎に）されることになる。
【００５２】
一例として、商品提供者コメントに基づいて推薦される商品が選定される場合について説明する。商品提供者コメントとして、夫々、以下のような情報が含まれていたとする。(1)取得されたある種類（例えば、スカート）の商品の利用者登録商品情報に含まれる商
品提供者コメント例
「春らしい可愛い柄のシフォン素材のスカートです。ピンクのリボンがポイント。」
(2)上記(1)と同じ種類の商品（利用者未登録商品）１の商品情報に含まれる商品提供者コメント例
「今年はシフォン素材が大人気。サテンシルクのリボンがついたピンクのプリーツスカートは、裾がふんわりと広がります。」
(3)上記(1)と同じ種類の商品（利用者未登録商品）２の商品情報に含まれる商品提供者コメント例
「ベルトにゴールドのボタンがついたデニムのミニスカートは、クールでかっこよい着こなしをしたい人にオススメ。」
情報管理サーバ１は、上記(1)から(3)の情報に対して自然言語処理解析を行い、それぞれの特徴語を、夫々、以下のように抽出し、特徴語リストを作成する。
(1)取得されたある種類（例えば、スカート）の商品の利用者登録商品情報に含まれる商
品提供者コメント例の特徴語リスト
「春、シフォン、スカート、ピンク、リボン、甘め」
(2)上記(1)と同じ種類の商品（利用者未登録商品）１の商品情報に含まれる商品提供者コメント例の特徴語リスト
「シフォン、サテンシルク、リボン、ピンク、プリーツスカート」
(3)上記(1)と同じ種類の商品（利用者未登録商品）２の商品情報に含まれる商品提供者コメント例の特徴語リスト
「ベルト、ゴールド、ボタン、デニム、ミニスカート、クール」
そして、情報管理サーバ１は、上記利用者登録商品情報に係る商品に対する上記商品１，２の特徴語リスト間の類似度を計算（その一致度を比較）し、類似度が高い（例えば、一致度が高い（つまり、特徴語の一致する数が閾値以上であるか、或いは、最も一致する数が多い））商品（ここでは、一致する特徴語の数が多い商品１となる）の商品を推薦すべき商品として選定する。
【００５３】
なお、利用者未登録商品情報は、例えば、商品の上記種類毎に、予め設定された数（例えば１０）ずつランダムに取得されるように構成しても良い。
【００５４】
次いで、情報管理サーバ１は、上記取得された利用者登録商品情報及びこれに対応する商品ＩＤと、上記取得された利用者未登録商品情報及びこれに対応する商品ＩＤと、表示画面を構成するページデータと、を含む要求応答情報を、ネットワークＮＴを介して端末３に対して送信する（ステップＳ６）。
【００５５】
一方、端末３は、情報管理サーバ１から送信されてきた要求応答情報を受信すると（ステップＳ７）、当該要求応答情報に含まれる情報をＲＡＭに記憶し、表示画面を構成するページデータにしたがって表示部３３上に着合わせ画面を表示すると共に、当該着合わせ画面における所定位置（商品の種類毎に定められた位置（例えば、人体の複数の部位（人の頭部、胴部、脚部、足部）に対応する位置（詳しくは後述））に、受信された要求応答情報に含まれる利用者登録商品情報（商品名、価格、及び商品画像）と利用者未登録商品情報（商品名、価格、及び商品画像）とを利用者が比較可能に表示（例えば、選択可能なサムネイルにより表示）する（ステップＳ８）。
【００５６】
次いで、端末３は、商品画像合成サーバ２との通信を確立し、上記受信した利用者登録商品情報を、ネットワークＮＴを介して送信する（ステップＳ９）。
【００５７】
一方、商品画像合成サーバ２は、端末３から送信されてきた利用者登録商品情報を受信すると（ステップＳ１０）、人体を表す例えば３次元の人体画像を記憶部２２から取得し（ステップＳ１１）、上記利用者登録商品情報に含まれる商品画像を上記人体画像上に重畳して商品画像と人体画像とを合成し、当該商品が人体に着用された状態の着用画像を作成する（ステップＳ１２）。なお、商品画像と人体画像との画像合成処理については公知であるので、詳しい説明を省略する。
【００５８】
そして、商品画像合成サーバ２は、作成された着用画像を含む応答情報を、ネットワークＮＴを介して端末３に対して送信する（ステップＳ１３）。
【００５９】
一方、端末３は、商品画像合成サーバ２から送信されてきた応答情報を受信すると（ステップＳ１４）、当該応答情報に含まれる着用画像を、上記着合わせ画面における所定位置に表示する（ステップＳ１５）。
【００６０】
図３は、端末３における表示部３３上に表示された、着合わせ画面例を示す図である。
【００６１】
図３に示すように、着合わせ画面１００には、利用者登録（クリップ）商品表示部５１、推薦商品表示部５２、着用画像表示部５３、着合わせボタン５４、詳細情報表示ボタン５５、商品クリップボタン５６、コーディネート商品クリップボタン５７、コーディネート商品閲覧ボタン５８、及びコーディネート印刷ボタン５９等が表示されている。更に、着合わせ画面１００の下部におけるコーディネート商品一覧表示部６０には、現在、着用画像表示部５３に表示されている着用画像５３ａに係る人体の複数部位（例えば、人の頭部、胴部、脚部、足部）毎の商品の商品画像がチェックボックス６１にて選択可能に表示されている。
【００６２】
ここで、コーディネート商品一覧表示部６０における「商品購入サイトへ」を利用者が例えばマウスによりクリックすると、ハイパーリンクにより商品購入サイトにジャンプし。当該商品購入サイトのページが表示部３３上に表示され、これにより、当該利用者は、気に入った商品の購入手続きを端末３上で行うことができる。
【００６３】
また、利用者登録商品表示部５１においては、利用者登録商品情報に含まれる各種類の商品の商品名、価格、及び商品画像が、着用画像表示部５３に表示された着用画像５３ａ（当該画像は３次元の立体画像であり、垂直軸（縦軸）中心とした回転により後ろ姿も表示されるようになっている）にて示される人体の複数の部位（人の頭部、胴部、脚部、足部）に対応する位置に選択可能（例えばカーソルにより）に表示されている。なお、メガネ、ネクタイ、スカーフ、バック、アクセサリ等の種類の商品についても表示するように構成しても良い。なお、着用画像表示部５３に表示された着用画像５３ａにおける所望の位置を、利用者が例えばマウスによりクリックすると、当該クリックされた部分が拡大表示（ズーム）されるようになっている。
【００６４】
一方、推薦商品表示部５２においては、利用者未登録商品情報に含まれる各種類の商品の商品名、価格、及び商品画像が、着用画像表示部５３に表示された着用画像５３ａにて示される人体の複数の部位（人の頭部、胴部、脚部、足部）に対応する位置に選択可能に表示されている。なお、推薦商品表示部５２においては、各種類毎に、複数（ここでは、３つずつ）の商品の商品画像等が表示されるようになっており、矢印ボタン５２ａの選択実行（例えば、操作部３４におけるマウスにてクリック）により横方向にスクロールし、利用者未登録商品情報に含まれる商品画像等のうち、現在表示されていない商品画像等が表示されることになる。
【００６５】
このように、着合わせ画面１００においては、着用画像５３ａを基準として人体の複数部位毎に、利用者登録商品情報に含まれる商品画像と、利用者未登録商品情報に含まれる商品画像と、が利用者に比較可能に並べて表示されることになる。これにより、利用者は、自己がクリップした商品（つまり、当該利用者が例えば携帯端末４を用いて情報管理サーバ１における利用者情報データベース１２ｂに登録した商品ＩＤに対応する商品）と、情報管理サーバ１から推薦された商品とを比較して組合せ（コーディネート）等を検討することができる。
【００６６】
図４及び図５は、端末３上に着合わせ画面が表示された後の、情報管理サーバ１、商品画像合成サーバ２、及び端末３における処理を示すフローチャートである。
【００６７】
端末３上に着合わせ画面１００が表示されている状態において、利用者が操作部３４により、例えば推薦商品表示部５２における所望の商品画像を選択（例えば、操作部３４におけるマウスにてクリック）し（かかる選択は、商品種類毎に夫々１つ選択可能である）、着合わせボタン５４を選択実行すると（ステップＳ２０）、端末３は、選択された商品画像を含む選択情報を、ネットワークＮＴを介して商品画像合成サーバ２に対して送信する（ステップＳ２１）。なお、選択されていない商品種類の商品画像については、着用画像５３ａに着用されている商品に対応する商品画像が選択情報に含まれることになる。
【００６８】
一方、商品画像合成サーバ２は、端末３から送信されてきた選択情報を受信すると（ステップＳ２２）、上記選択情報に含まれる商品画像を上記ステップＳ１１にて取得されている人体画像上に重畳して商品画像と人体画像とを合成し、当該商品が人体に着用された状態の着用画像を作成する（ステップＳ２３）。
【００６９】
なお、上記選択情報には、商品画像の代わりに、商品画像に対応する商品ＩＤが含まれるようにし、商品画像合成サーバ２は、当該選択情報に含まれる商品ＩＤに対応する商品画像を情報管理サーバ１から取得するように構成しても良い。
【００７０】
そして、商品画像合成サーバ２は、作成された着用画像を含む選択応答情報を、ネットワークＮＴを介して端末３に対して送信する（ステップＳ２４）。
【００７１】
一方、端末３は、商品画像合成サーバ２から送信されてきた選択応答情報を受信すると（ステップＳ２５）、当該選択応答情報に含まれる着用画像を、既に表示されている着用画像に置き換えて新たに表示する（ステップＳ２６）。また、このとき、コーディネート商品一覧表示部６０には、当該新たに表示された着用画像に係る人体の複数部位（例えば、人の頭部、胴部、脚部、足部）毎の商品の商品画像が選択可能に表示される。
【００７２】
こうして、利用者は、推奨された商品のうち、所望の商品についての他の商品との着合わせをより効率良く確認することができ、購入するか否か等を決定することができる。
【００７３】
また、上記着合わせ画面１００における利用者登録商品表示部５１、又は推薦商品表示部５２において商品画像等が表示されている商品のうち、利用者がその詳細を見たい商品の商品画像を操作部３４により選択し、詳細情報表示ボタン５５を選択実行すると（ステップＳ２７）、端末３は、当該選択された商品画像に対応する商品ＩＤを含む詳細要求情報を、ネットワークＮＴを介して情報管理サーバ１に対して送信する（ステップＳ２８）。
【００７４】
一方、情報管理サーバ１は、端末３から送信されてきた詳細要求情報を受信すると（ステップＳ２９）、受信された詳細要求情報に含まれる商品ＩＤに対応付けられた全ての商品情報（商品を取り扱う店舗の店舗情報等も含む）を商品情報データベース１２ａから取得する（ステップＳ３０）。
【００７５】
そして、情報管理サーバ１は、取得された商品情報を含む詳細応答情報を、ネットワークＮＴを介して端末３に対して送信する（ステップＳ３１）。
【００７６】
一方、端末３は、情報管理サーバ１から送信されてきた詳細応答情報を受信すると（ステップＳ３２）、詳細応答情報に含まれる商品情報を、例えば商品詳細画面上（ページ遷移）に表示する（ステップＳ３３）。
【００７７】
こうして、利用者は、選択した商品画像に対応する商品の詳細情報（例えば、その商品を取り扱う店舗の場所等）を閲覧することができる。
【００７８】
更にまた、上記着合わせ画面１００における推薦商品表示部５２において商品画像等が表示されている商品のうち、利用者がクリップしたい商品の商品画像を操作部３４により選択し、商品クリップボタン５６を選択実行すると（ステップＳ３４）、端末３は、当該選択された商品画像に対応する商品ＩＤを含む商品登録要求情報を、ネットワークＮＴを介して情報管理サーバ１に対して送信する（ステップＳ３５）。
【００７９】
一方、情報管理サーバ１は、端末３から送信されてきた商品登録要求情報を受信すると（ステップＳ３６）、受信された商品登録要求情報に含まれる商品ＩＤを、当該端末３の利用者ＩＤに対応付けて利用者情報データベース１２ｂに登録する（ステップＳ３７）。
【００８０】
こうして、利用者は、推薦された多数の商品のうち気に入った商品をクリップすることができる。
【００８１】
更にまた、端末３上に着合わせ画面１００が表示されている状態において、利用者が操作部３４により、コーディネート商品一覧表示部６０に表示された所望の商品の商品画像を選択し（例えばマウスによりチェックボックス６１を全てクリック）、例えばコーディネート商品クリップボタン５７を選択実行（現在、着用画像表示部５３に表示されている着用画像５３ａに係る人体の複数部位毎の商品のコーディネート登録指示）すると（ステップＳ４１）、端末３は、当該指示を受け付け、着用画像５３ａに係る人体の複数部位（例えば、人の頭部、胴部、脚部、足部）毎の商品の商品ＩＤ、及び当該端末３の利用者の利用者ＩＤを含むコーディネート登録要求情報を、ネットワークＮＴを介して、情報管理サーバ１に対して送信する（ステップＳ４２）。
【００８２】
一方、情報管理サーバ１は、端末３から送信されてきたコーディネート登録要求情報を受信すると（ステップＳ４３）、受信されたコーディネート登録要求情報に含まれる人体の複数部位毎の商品の商品ＩＤを含むコーディネート商品情報を、受信されたコーディネート登録要求情報に含まれる利用者ＩＤに対応付けて利用者情報データベース１２ｂに登録する（ステップＳ４４）。
【００８３】
こうして、利用者は、気に入ったコーディネートに係る商品（コーディネート商品）をクリップすることができる。
【００８４】
このようにコーディネート商品情報が登録された後、利用者が操作部３４により、例えばコーディネート閲覧ボタン５８を選択実行すると（ステップＳ４５）、端末３は、情報管理サーバ１に対して、コーディネート閲覧要求情報（利用者ＩＤを含む）を送信する（ステップＳ４６）。これに対して、情報管理サーバ１は、上記コーディネート閲覧要求情報を受信すると（ステップＳ４７）、当該利用者の利用者ＩＤに対応するコーディネート商品情報（複数のコーディネート商品情報が登録されていた場合には、例えば最も新しく登録されたコーディネート商品情報）を利用者情報データベース１２ｂから取得し、当該コーディネート商品情報に含まれる夫々の商品ＩＤに対応する商品画像を商品情報データベース１２ａから取得し（ステップＳ４８）、当該取得した商品画像を含む着用画像作成要求情報を、ネットワークＮＴを介して商品画像合成サーバ２に送信する（ステップＳ４９）。
【００８５】
一方、商品画像合成サーバ２は、情報管理サーバ１３から送信されてきた着用画像作成要求情報を受信すると（ステップＳ５０）、人体画像を記憶部２２から取得し、上記着用画像作成要求情報に含まれる商品画像を上記人体画像上に重畳して商品画像と人体画像とを合成し、当該商品が人体に着用された状態の着用画像を作成し（ステップＳ５１）、上記着用画像作成要求情報に含まれる商品画像及び作成した着用画像を含む応答情報を、ネットワークＮＴを介して端末３に対して送信する（ステップＳ５２）。
【００８６】
一方、端末３は、商品画像合成サーバ２から送信されてきた応答情報を受信すると（ステップＳ５３）、当該応答情報に含まれる着用画像を、既に表示されている着用画像に置き換えて表示する（ステップＳ５４）と共に、コーディネート商品一覧表示部６０中に当該着用画像に係る人体の複数部位毎の商品の商品画像を表示する。
【００８７】
こうして、利用者は、クリップしたコーディネート商品の商品画像とその着用画像を後から閲覧することができる。
【００８８】
なお、端末３上に着合わせ画面１００が表示されている状態において、利用者が操作部３４により、コーディネート印刷ボタン５９を選択実行すると、着用画像表示部５３に表示されている着用画像が端末３に接続されたプリンタ（図示せず）から印刷されることになる。
【００８９】
更にまた、端末３上に着合わせ画面１００が表示されている状態において、利用者が操作部３４により、着用画像表示部５３の下部に設けられた例えば着用画像回転ボタン６２を選択実行する毎に、着用画像表示部５３には、例えば図６に示すように、撮影角度の異なる着用画像５３ａが順次表示（つまり、垂直軸（縦軸）中心として回転表示）される。なお、図６に示す着用画像５３ａは、図４に示す着用画像５３ａを、より具体的に表したものである。
【００９０】
これにより、利用者は、様々な角度から、コーディネート商品が着用された着用画像を把握することができる。
【００９１】
以上説明したように上記実施形態によれば、上記着合わせ画面１００において、着用画像５３ａを基準として人体の複数部位毎に、利用者登録商品情報に含まれる商品画像と、利用者未登録商品情報に含まれる商品画像と、が利用者（消費者）に比較可能に並べて表示されるように構成したので、利用者がクリップしておいた好みの商品に合う商品を効率良く探し、それらの商品の組合せ（コーディネート）の比較検討をより効果的に行うことができる。しかも、着合わせ画面１００においては、着用画像５３ａを基準として人体の複数部位毎に、利用者登録商品情報に含まれる商品画像と、利用者未登録商品情報に含まれる商品画像と、が利用者に比較可能に並べて表示されるので、利用者は、より組合せを比較し易い。
【００９２】
更に、利用者は、所望の商品画像を選択して着合わせボタン５４を選択実行するだけで、その商品が着用された状態の着用画像が表示されるので、利用者は実際に商品を着用したときの印象までをも容易に把握することができ、しかも、着用画像を回転させて様々な角度からその印象を把握することができる。
【００９３】
更にまた、利用者は、所望の商品のコーディネートをクリップでき、後からそのコーディネートされた商品を着用した着用画像を閲覧することができる。
【００９４】
更にまた、利用者未登録商品情報に係る商品は、利用者がクリップした商品の傾向や特徴が似ている推薦商品としたので、より利用者の好みの商品の商品画像を、クリップした商品の商品画像と共に表示することができる。
【００９５】
（他の実施形態）
なお、上記実施形態においては、利用者が、コーディネートされた複数の商品を着用した着用画像を閲覧したい場合、着用画像の基になる所望の複数の商品を人体の複数部位毎に選択した例を示したが、一つの部位（例えば、胴部）に対して複数の商品（例えば、ブラウスとセーター）を選択することも可能になっている。
【００９６】
人体の一つの部位に対して複数の商品が選択された場合、選択された商品の商品画像は重なる位置関係になる。また、一つの部位に対して一つの商品が選択された場合であっても、例えば胴部のセーターの画像の下部と、スカートの画像の上部とは重なる位置関係になる場合もある。
【００９７】
このように複数の商品画像が重なる位置関係になることに鑑みて、本実施形態においては、各商品画像には、他の商品画像と重ねて表示される際の上下関係を規定する上下方向の階層位置を示す階層位置情報が付加（例えば予めデフォルト設定）されるようになっている。かかる階層位置は、複数段階（例えば８段階）に区分されており、当該段階が大きくなる（例えば、数値が大きくなる）ほど上位階層位置となり他の商品画像上に重なり易くなる一方、当該段階が小さくなるほど下位階層位置となり他の商品画像上に重なり難くなる。
【００９８】
図７は、２つの商品画像が重なっている様子を示す図である。図７（Ａ）の場合、商品画像７１の階層位置（丸の位置）は「５」段目になっている一方、商品画像７２の階層位置は「３」段目になっているため、商品画像７１の階層位置が商品画像７２よりも上位となり、したがって、商品画像７２上に商品画像７１が重なるように表されている。一方、図７（Ｂ）の場合、商品画像７１の階層位置は「５」段目になっている一方、商品画像７２の階層位置は「６」段目になっているため、商品画像７２の階層位置が商品画像７１よりも上位となり、したがって、商品画像７１上に商品画像７２が重なるように表されている。
【００９９】
このような階層位置は、商品画像毎に予め設定されているが、上述した、着合わせ画面１００上において、利用者が操作部３４により所望の階層位置を指定することにより変更可能になっている。なお、複数の商品画像の階層位置が互いに同一に指定された場合には、何れか一方の商品画像を優先し（例えば、デフォルト設定にしたがう）、優先した商品画像が上位となるように処理される。
【０１００】
図８は、商品画像の階層位置を指定するための階層位置バーが表示された、着合わせ画面例を示す図である。
【０１０１】
例えば、利用者が、上記着合わせ画面１００における利用者登録商品表示部５１、又は推薦商品表示部５２において商品画像等が表示されている商品のうち、階層位置を指定したい商品の商品画像を操作部３４により選択すると、当該商品画像に対応する、図８に示すような階層位置バー７５が表示される。そして、利用者は、操作部３４により当該階層位置バー７５上で所望の階層位置を指定（例え、マウスによりクリック）し、商品クリップボタン５６を選択実行すると、端末３は当該指定を受け付け、当該選択された商品画像に対応する商品ＩＤ及び当該商品画像の上記指定された階層位置を示す階層位置情報を含む階層位置登録要求情報（利用者ＩＤも含む）を、ネットワークＮＴを介して情報管理サーバ１に対して送信する。これに対して、情報管理サーバ１は、端末３から送信されてきた階層位置登録要求情報を受信すると、受信された商品登録要求情報に含まれる階層位置情報を、当該商品登録要求情報に含まれる商品ＩＤ及び利用者ＩＤに対応付けて利用者情報データベース１２ｂに登録する。
【０１０２】
そして、商品画像合成サーバ２は、上述した選択情報（又は着用画像作成要求情報）に、利用者により選択された複数の商品画像が示されており、当該複数の商品画像が重なる位置関係にある場合、夫々に付加されている階層位置情報を取得（例えば、上記ステップＳ２１で商品画像合成サーバ２に送信された選択情報（商品画像に付加された階層位置情報が含まれている）から取得、或いは情報管理サーバ１から取得）し、当該階層位置情報に示される階層位置に応じた上下関係を持った重なり商品画像を、例えば図７に示すように生成し、当該重なり商品画像と、人体画像とを合成し、上述した着用画像を作成して、これを、ネットワークＮＴを介して端末３に対して送信する。
【０１０３】
こうして、利用者は、自ら指定した各商品画像の階層位置に応じた上下関係を持った商品のコーディネートを容易に閲覧でき、例えば、セーターをブラウスの上に着るか、或いは下に着るかのどちらが好ましいかを容易に判断することができる。
【０１０４】
ところで、上述したように、重なる位置関係にある複数の商品画像の上下関係を、利用者が任意に指定する場合、例えば図９（Ａ）に示すように当該複数の商品画像８１〜８３において上位の階層位置にある商品画像８１に係る商品の輪郭８１ａのうち、図９（Ｃ）に示すように当該商品が人体８５に着用された際に当該人体の一部を通す輪郭部分（図９（Ｃ）に示す破線部分）以外の輪郭部分（図９（Ｃ）に示す実線部分）から、図９（Ｂ）に示すように下位の階層位置にある商品画像８２がはみ出し、不自然となる問題が想定される。
【０１０５】
このように、複数の商品画像において上位の階層位置にある商品画像に係る商品の輪郭のうち当該商品が人体に着用された際に当該人体の一部を通す輪郭部分以外の輪郭部分から、下位の階層位置にある商品画像がはみ出す場合には、商品画像合成サーバ２は、当該はみ出す商品画像部分を除去して、上述した重なり商品画像を生成し、当該重なり商品画像と、人体画像とを合成し、上述した着用画像を作成するように構成する。
【０１０６】
図１０は、下位の階層位置にある商品画像がはみ出す商品画像部分を除去する様子を示す図である。図１０に示す例では、先ず、階層位置が下位にある商品画像８２のはみ出す商品画像部分の領域（黒部分）が抽出（Ａ）され、続いて、抽出された領域が除去（削除）（Ｂ）されている。
【０１０７】
このような構成により、図９（Ｂ）に示すように下位の階層位置にある商品画像８２がはみ出し、不自然となる問題を解消することができる。
【０１０８】
なお、下位の階層位置にある商品画像がはみ出す商品画像部分を除去する処理は、端末３側で実行するように構成しても良い。この場合、例えば、商品画像合成サーバ２から着用画像が端末３に送信された時点では、例えば図１０（Ａ）に示すようになっているが、当該端末３が、上記階層位置が下位にある商品画像８２のはみ出す商品画像部分の領域を抽出し、続いて、抽出された領域を非表示とし、その部分に背景を表示するように構成する。
【図面の簡単な説明】
【０１０９】
【図１】本実施形態に係る情報提供システムの全体構成例を示す図である。
【図２】端末３上に着合わせ画面が表示される際の、情報管理サーバ１、商品画像合成サーバ２、及び端末３における処理を示すフローチャートである。
【図３】端末３における表示部３３上に表示された、着合わせ画面例を示す図である。
【図４】端末３上に着合わせ画面が表示された後の、情報管理サーバ１、商品画像合成サーバ２、及び端末３における処理を示すフローチャートである。
【図５】端末３上に着合わせ画面が表示された後の、情報管理サーバ１、商品画像合成サーバ２、及び端末３における処理を示すフローチャートである。
【図６】着用画像表示部５３における着用画像が回転表示される様子を示す図である。
【図７】２つの商品画像が重なっている様子を示す図である。
【図８】商品画像の階層位置を指定するための階層位置バーが表示された、着合わせ画面例を示す図である。
【図９】重なる位置関係にある複数の商品画像の上下関係を、利用者が任意に指定する場合の問題を説明するための図である。
【図１０】下位の階層位置にある商品画像がはみ出す商品画像部分を除去する様子を示す図である。
【符号の説明】
【０１１０】
１  情報管理サーバ
２  商品画像合成サーバ
３  端末
３ａ  リーダ／ライタ
４  携帯端末
１１  制御部
１２  記憶部
１３  通信部
２１  制御部
２２  記憶部
２３  通信部
３１  制御部
３２  記憶部
３３  表示部
３４  操作部
３５  通信部
Ｓ  情報提供システム
ＮＴ  ネットワーク
【図１】
2007280351.tif 000003
【図２】
2007280351.tif 000004
【図３】
2007280351.tif 000005
【図４】
2007280351.tif 000006
【図５】
2007280351.tif 000007
【図６】
2007280351.tif 000008
【図７】
2007280351.tif 000009
【図８】
2007280351.tif 000010
【図９】
2007280351.tif 000011
【図１０】
2007280351.tif 000012